(57)【要約】【課題】別体のウイング部材と本体との重なり領域の印象が向上し、着用者に違和感を与え難い吸収性物品を提供すること。【解決手段】本発明の吸収性物品１は、表面シート２、本体用裏面シート３及び吸収体４を具備する本体部３と、一対のウイング部６とを有する。ウイング部６は、表面シート２及び本体用裏面シート３とは別体のウイング部形成材６０を用いて形成されている。ウイング部形成材６０は、ウイング用裏面フィルム６０ｂ及びウイング用不織布６０ａを有している。本発明の吸収性物品１は、本体用裏面シート３の吸収体４の側縁４１から外方に延出する部分とウイング用裏面フィルム６０ｂの幅方向内方側部６０ｂ２との重なり領域Ｔが本体部５の両側縁５１に沿って形成されている。重なり領域Ｔには印刷による絵柄９が形成されている。ウイング用不織布６０ａは、重なり領域Ｔの絵柄９が透過して見える光透過率を有している。【選択図】図１
2013063139.tif 000002
【特許請求の範囲】
【請求項１】
縦長の本体部及び該本体部の長手方向の両側縁から幅方向外方に延出する一対のウイング部を有する吸収性物品であって、
前記本体部は、肌対向面側に配された表面シート、非肌対向面側に配された本体用裏面シート及びこれら両シート間に配された吸収体を具備しており、
一対の前記ウイング部は、ぞれぞれ、前記表面シート及び前記本体用裏面シートとは別体のウイング部形成材を前記表面シート及び前記本体用裏面シートそれぞれの長手方向の側縁から幅方向外方に延出して形成されており、
前記ウイング部形成材は、液難透過性のウイング用裏面フィルム及び該ウイング用裏面フィルムの肌対向面側に配されたウイング用不織布を有し、
前記本体用裏面シートの前記吸収体の側縁から幅方向外方に延出する部分と前記ウイング用裏面フィルムの幅方向内方側部との重なり領域が前記本体部の長手方向の両側縁に沿って形成され、該重なり領域には印刷による絵柄が形成されており、
前記ウイング用不織布は、前記重なり領域の前記絵柄が透過して見える光透過率を有している吸収性物品。
【請求項２】
前記ウイング用不織布は、その幅方向内方側部が前記表面シートの肌対向面上に配され、
前記ウイング用裏面フィルムは、その幅方向内方側部が、前記本体用裏面シートと前記表面シートとの間に配されている請求項１に記載の吸収性物品。
【請求項３】
前記絵柄は、前記重なり領域における前記ウイング用裏面フィルムに印刷されたウイング部絵柄と該重なり領域における前記本体用裏面シートに印刷された本体部絵柄とからなり、
前記ウイング部絵柄と前記本体部絵柄とは互いに関連性のある絵柄であり、
前記ウイング用裏面フィルムは、前記本体部絵柄が透過して見える光透過率を有している請求項２に記載の吸収性物品。
【請求項４】
前記ウイング用裏面フィルムの色及び／又は前記本体用裏面シートの色は有彩色である請求項１〜３の何れか１項に記載の吸収性物品。
【請求項５】
前記ウイング用裏面フィルムの色及び前記本体用裏面シートの色はそれぞれ有彩色であり、該ウイング用裏面フィルムの色と該本体用裏面シートの色とが異なる請求項４に記載の吸収性物品。
【請求項６】
前記ウイング用裏面フィルムの色及び前記本体用裏面シートの色はそれぞれ有彩色であり、該ウイング用裏面フィルムの色と該本体用裏面シートの色とは同色の関係にある請求項４に記載の吸収性物品。
【発明の詳細な説明】
【技術分野】
【０００１】
本発明は、生理用ナプキン、パンティライナー（おりものシート）、失禁パッド等の吸収性物品に関し、特にウイング部を有する吸収性物品（女性用吸収性物品）に関する。
【背景技術】
【０００２】
一般に、ウイング部を有する吸収性物品（女性用吸収性物品）は、表面シート、本体用裏面シート及びこれら両シート間に配された吸収体を具備する本体部及び該本体部の両側縁から延出する一対のウイング部を有しており、その使用時には、一対のウイング部を、本体用裏面シート側に折り曲げ、折り曲げたウイング部を、ショーツのクロッチ部の非肌対向面等に粘着剤等で固定して使用する。
また、ウイング部に用いるシート材の使用量を低減する観点等から、ウイング部を有する吸収性物品（女性用吸収性物品）として、表面シートや本体用裏面シート等の原反とは異なる原反から、ウイング部に近い形状のウイング片を形成し、そのウイング片を、表面シートや本体用裏面シート等の本体部の構成材料と接合し、本体部の両側部に固定した吸収性物品（女性用吸収性物品）が提案されている。
【０００３】
このような本体部の両側部にウイング片を固定した吸収性物品（女性用吸収性物品）として、例えば、特許文献１には、本体とは別体のウイング部材が、本体の両側部において、本体を構成するトップシートとバックシートとの間で固定され、トップシート及びバックシートそれぞれの側端部からさらに幅方向の外方へ延出させることによって、ウイング部を形成した吸収性物品（女性用吸収性物品）が記載されている。
【０００４】
しかしながら、特許文献１に記載の吸収性物品は、別体のウイング部材と本体との重なり領域が目立ち易く、違和感を着用者に与えていた。
【０００５】
上記技術とは別に、特許文献２には、身体に接触する層と、衣類に接触する層と、これらの層の間に配置された吸収性コアとを含み、身体に接触する層及び衣類に接触する層が、それぞれ、吸収性コアの外周縁よりも外方領域に、印刷されたグラフィックを有している吸収性物品が記載されている。
【０００６】
特許文献２に記載の吸収性物品によれば、着用者に感情的な効果を与え、着用者の憂鬱な気分を低減することができる。しかし、特許文献２には、本体部とは別体のウイング部材を用いて形成されたウイング部を備えた吸収性物品に関して何ら記載されておらず、自ずと、ウィング部材と本体との重なり領域の違和感に関して何ら記載されていない。
【先行技術文献】
【特許文献】
【０００７】
【特許文献１】特許第４２３０４８０号公報
【特許文献２】特許第３９７４１３２号公報
【発明の概要】
【発明が解決しようとする課題】
【０００８】
従って、本発明の課題は、前述した従来技術が有する欠点を解消し得る吸収性物品（女性用吸収性物品）を提供することにある。
【課題を解決するための手段】
【０００９】
本発明は、縦長の本体部及び該本体部の長手方向の両側縁から幅方向外方に延出する一対のウイング部を有する吸収性物品であって、前記本体部は、肌対向面側に配された表面シート、非肌対向面側に配された本体用裏面シート及びこれら両シート間に配された吸収体を具備しており、一対の前記ウイング部は、ぞれぞれ、前記表面シート及び前記本体用裏面シートとは別体のウイング部形成材を前記表面シート及び前記本体用裏面シートそれぞれの長手方向の側縁から幅方向外方に延出して形成されており、前記ウイング部形成材は、液難透過性のウイング用裏面フィルム及び該ウイング用裏面フィルムの肌対向面側に配されたウイング用不織布を有し、前記本体用裏面シートの前記吸収体の側縁から幅方向外方に延出する部分と前記ウイング用裏面フィルムの幅方向内方側部との重なり領域が前記本体部の長手方向の両側縁に沿って形成され、該重なり領域には印刷による絵柄が形成されており、前記ウイング用不織布は、前記重なり領域の前記絵柄が透過して見える光透過率を有している吸収性物品（女性用吸収性物品）を提供するものである。
【発明の効果】
【００１０】
本発明の吸収性物品（女性用吸収性物品）によれば、本体部とは別体のウイング部材を用いて形成されたウイング部を備えた吸収性物品（女性用吸収性物品）であるにも拘わらず、別体のウイング部材と本体との重なり領域の印象が向上し、着用者に違和感を与え難い。
【図面の簡単な説明】
【００１１】
【図１】図１は、本発明の一実施形態である生理用ナプキンを表面シート側から見た平面図である。
【図２】図２は、図１のＹ１−Ｙ１線断面図である。
【図３】図３は、図１に示す生理用ナプキンのウイング部形成材と本体用裏面シートとの配置関係を示す分解斜視図である。
【図４】図４（ａ）は関連性のある本体部絵柄とウイング部絵柄との例を示す部分拡大平面図であり、図４（ｂ）は関連性のある本体部絵柄とウイング部絵柄との例を示す部分拡大平面図であり、図４（ｃ）は関連性のある本体部絵柄とウイング部絵柄との例を示す部分拡大平面図である。
【発明を実施するための形態】
【００１２】
以下本発明をその好ましい実施形態に基づき図面を参照しながら説明する。
本発明の実施形態である生理用ナプキン１（以下、ナプキン１ともいう）は、図１及び図２に示すように、縦長の本体部５及び本体部５の長手方向に沿う両側縁５１から幅方向外方に延出する一対のウイング部６，６を有している。本体部５は、図１及び図２に示すように、肌対向面（着用者の肌側に向けられる面）側に配された表面シート２、非肌対向面（着用者の肌側とは反対側に向けられる面）に配された本体用裏面シート３及びこれら両シート２，３間に配された吸収体４を具備している。生理用ナプキン１は、図１に示すように、本体部５の長手方向に延びる中心線ＣＬに対して左右対称に形成されている。尚、各図に示す「Ｘ」方向は、中心線ＣＬに平行な方向であり、本体部５の長手方向と同じ方向でもある。また各図に示す「Ｙ」方向は、中心線ＣＬに直交する方向であり、本体部５の幅方向と同じ方向でもある。
【００１３】
本体部５は、長手方向Ｘに長い形状を有し、その裏面には、該本体部５を、ショーツのクロッチ部の肌対向面（着用者の肌側に向けられる面）に固定するための本体粘着部（図示せず）が形成されており、ウイング部６の裏面には、各ウイング部６を、ショーツのクロッチ部の非肌対向面（着用者の肌側とは反対側に向けられる面）に固定するためのウイング部粘着部（図示せず）が形成されている。クロッチ部の非肌対向面には、上層及び下層を有する二重構造のクロッチ部の下層側の面も含まれる。
【００１４】
本体部５は、図１に示すように、ウイング部６，６の位置する領域である排泄対向領域Ａ、ナプキン１の着用時に排泄対向領域Ａより着用者の腹側に配される前方領域Ｂ、及びナプキン１の着用時に排泄対向領域Ａよりも着用者の背中側に配される後方領域Ｃを有している。ナプキン１の着用時には、通常、本体部５の排泄対向領域Ａが、着用者の排泄部（膣口等）に対向配置される。このように、一対のウイング部６，６は、それぞれ、図１に示すように、本体部５の排泄対向領域（着用者の排泄部に対向する領域）に形成されている。ウイング部６は、昼用のナプキンのように、ナプキンの略中央部に形成される場合や、夜用ナプキンのように、前方領域Ｂと排泄対向領域Ａ、さらに後方領域Ｃには臀部を広く覆う後方領域が存在すると、ナプキンの長手方向Ｘ中央部よりも前方に配置される場合が多い。
【００１５】
上述した「本体部５の長手方向に沿う両側縁５１」とは、本体部５の幅方向Ｙ両外方それぞれの端に位置して、長手方向Ｘに沿って延びる部位を意味する。
尚、後述する表面シート２及び吸収体４の「側縁」も同様である。
【００１６】
表面シート２は、本体部５の長手方向（Ｘ方向）に長い縦長の形状を有している。
表面シート２は、本体部５の長手方向Ｘに沿って延びる両側縁２１，２１を有し、表面シート２の長手方向Ｘの前後端は、ナプキン１及び本体部５の長手方向Ｘの前後端の輪郭と一致する円弧形状を有している。表面シート２の側縁２１は、後述する吸収体４の側縁４１から幅方向Ｙ外方に延出している。
【００１７】
吸収体４は、本体部５の長手方向（Ｘ方向）に長い縦長の形状を有している。
吸収体４は、本体部５の長手方向Ｘに沿って延びる両側縁４１，４１を有し、吸収体４の長手方向Ｘの前後端は、ナプキン１及び本体部５の前後端よりやや内側に位置して同様の湾曲形状を有している。
【００１８】
本体用裏面シート３は、本体部５の長手方向（Ｘ方向）に長い縦長の形状を有している。
ナプキン１の本体用裏面シート３は、図１に示すように、排泄対向領域Ａ、前方領域Ｂ及び後方領域Ｃにおける側縁が、吸収体４の側縁４１及び表面シート２の側縁２１から幅方向Ｙ外方に延出しており、特に、本体部５の前方領域Ｂ及び後方領域Ｃにおいては、本体部５の輪郭と一致する輪郭を有しており、本体部５の排泄対向領域Ａにおいては、前方領域Ｂ及び後方領域Ｃにおける本体部５の両側縁５１の位置から幅方向Ｙ外方に延出し、その一部が、ウイング部６，６内に入り込んでいる。ウイング部６内に入り込んだ本体用裏面シート３の側端３１は、図１に示すように、ウイング部６の突出方向における基端と先端との間に位置して、本体部５の長手方向Ｘに沿って直線状に延びている。
尚、排泄対向領域Ａにおける本体用裏面シート３の側端３１は、ナプキン１においては、上述したように、ウイング部形成材６０の固定性向上およびナプキン１をショーツから取り外す際のウイング部６のちぎれ防止の観点から、ウイング部６内に入り込んでいるが、吸収体４の側縁４１から幅方向Ｙ外方に位置していればよく、例えば、前方領域Ｂ及び後方領域Ｃにおける本体用裏面シート３の側縁の位置と同位置であってもよい。
【００１９】
一対のウイング部６は、図２に示すように、表面シート２及び本体用裏面シート３とは別体のウイング部形成材６０を表面シート２の長手方向Ｘの側縁２１及び本体用裏面シート３の長手方向Ｘの側縁３１から幅方向Ｙ外方に延出して形成されている。具体的には、一対のウイング部６は、図２に示すように、別体のウイング部形成材６０を用いて、ウイング部形成材６０の幅方向Ｙ外方側部６１側を表面シート２の側縁２１及び本体用裏面シート３の側縁３１から幅方向Ｙ外方に延出して形成されている。ウイング部形成材６０の外方側部６１の最外縁が、ナプキン１の輪郭に一致する形状を有している。ウイング部形成材６０は、図２に示すように、液難透過性のウイング用裏面フィルム６０ｂ及びウイング用裏面フィルム６０ｂの肌対向面側に配されたウイング用不織布６０ａを有している。本発明における液難透過性フィルムは、液不透過性も含む概念である。ウイング用不織布６０ａ及びウイング用裏面フィルム６０ｂは、ナプキン１においては、図２に示すように、ウイング部形成材６０の幅方向Ｙ内方側部６２（中心線ＣＬ寄りの側部）側を除く領域において、ホットメルト型接着剤６３及び後述する周縁シール部１０により互いに固定されている。ホットメルト型接着剤６３については、後段において詳述する。
【００２０】
ウイング用不織布６０ａは、ナプキン１においては、図３に示すように、幅方向Ｙ外方側部６０ａ１の最外縁がナプキン１の輪郭に一致する形状を有し、幅方向Ｙ内方側部（中心線ＣＬ寄りの側部）６０ａ２の最内縁が、本体部５の長手方向（Ｘ方向）に沿って延びる直線状をなしている。ナプキン１の備えるウイング用不織布６０ａにおいては、内方側６０ａ２部の最内縁は、図２に示すように、表面シート２の側縁２１及び吸収体４の側縁４２よりも中心線ＣＬ寄りに位置している。内方側部６０ａ２は、ナプキン１においては、図２に示すように、表面シート２の肌対向面上に配されている。ウイング用不織布６０ａは、表面シート２の肌対向面上に配された部分において、ヒートシール加工により一体的に融着された融着部８にて固定されている。ナプキン１においては、図１に示すように、融着部８が、本体部５の長手方向Ｘに沿って延びるパターンで形成されている。
【００２１】
ウイング用裏面フィルム６０ｂは、ナプキン１においては、図３に示すように、ウイング用不織布６０ａの長手方向Ｘの長さよりも短く、排泄対向領域Ａにのみ配されている。ウイング用裏面フィルム６０ｂは、ナプキン１においては、図３に示すように、幅方向Ｙ外方側部６０ｂ１の最外縁が排泄対向領域Ａにおけるナプキン１の輪郭に一致する形状を有し、幅方向Ｙ内方側部（中心線ＣＬ寄りの側部）６０ｂ２の最内縁が、本体部５の長手方向（Ｘ方向）に沿って延びる直線状をなしている。ナプキン１の備えるウイング用裏面フィルム６０ｂにおいては、内方側６０ｂ２部の最内縁は、図２に示すように、幅方向Ｙにおいて、表面シート２の側縁２１と吸収体４の側縁４２との間に位置している。内方側部６０ｂ２は、ナプキン１においては、図２に示すように、厚み方向において、本体用裏面シート３と表面シート２との間に配されている。ウイング用裏面フィルム６０ｂは、ナプキン１においては、図２に示すように、ウイング部６内に入り込んだ本体用裏面シート３の側縁３１より内方において、ホットメルト型接着剤６４を介して接合されている。このホットメルト型接着剤６４は、本体部５の長手方向Ｘに沿って連続的に形成されている。ホットメルト型接着剤６４については、後段において詳述する。
【００２２】
また、ナプキン１は、図１に示すように、その外周縁部に、本体用裏面シート３と、ウイング部形成材６０（ウイング用不織布６０ａ及びウイング用裏面フィルム６０ｂ）及び表面シート２との間が、ヒートシール加工により一体的に固定された周縁シール部１０を有している。
更に、ナプキン１においては、図１に示すように、ウイング部６の位置する領域（排泄対向領域Ａ）に、表面シート２と吸収体４とをヒートシール加工により一体的に圧縮して形成された２重の防漏溝１１を備えている。２重の防漏溝１１それぞれは、図１に示すように、幅方向Ｙ外方に凸状に形成されている。
【００２３】
上述のように構成されるナプキン１においては、図２に示すように、本体用裏面シート３の吸収体４の側縁４１から幅方向Ｙ外方に延出する部分とウイング用裏面フィルム６０ｂの幅方向Ｙ内方側部６０ｂ２との重なり領域Ｔが、図１に示すように、本体部５の長手方向Ｘの両側縁５１に沿って形成されている。ナプキン１の重なり領域Ｔは、図１に示すように、長手方向Ｘに延びる略矩形状に形成されている。重なり領域Ｔは、幅方向Ｙの長さＷ１が５〜４０ｍｍであることが好ましく、１０〜３０ｍｍであることが更に好ましい。
【００２４】
重なり領域Ｔには、図１，図３に示すように、印刷による絵柄９が形成されている。ナプキン１の絵柄９は、図１，図３に示すように、重なり領域Ｔにおけるウイング用裏面フィルム６０ｂに印刷されたウイング部絵柄６９と重なり領域Ｔにおける本体用裏面シート３に印刷された本体部絵柄３９とからなる。このように、ナプキン１においては、重なり領域Ｔに、ウイング部絵柄６９と本体部絵柄３９とからなる２種類の絵柄が形成されているが、何れか一方の絵柄が形成されていてもよい。一方の絵柄のみ形成されている場合には、絵柄の見え易さの観点から、本体部絵柄３９よりもウイング部絵柄６９の方を優先的に形成することが好ましい。
【００２５】
本体部絵柄３９は、本体用裏面シート３の肌対向面の全面に印刷が施されて形成されていてもよく、吸収体４の側縁４１よりも幅方向Ｙ外方に位置する領域の肌対向面に印刷が施されて形成されていてもよいが、ナプキン１においては、重なり領域Ｔにおける本体用裏面シート３の肌対向面に印刷が施されて形成されている。本体部絵柄３９は、従来この種の生理用ナプキンに用いられてきたインクを、フレキソ、グラビア、インクジェット方式等の公知の方法により本体用裏面シート３の肌対向面に印刷して形成されたものである。
【００２６】
ウイング部絵柄６９は、少なくとも重なり領域Ｔにおけるウイング用裏面フィルム６０ｂに施されていればよいが、ナプキン１においては、図１，図３に示すように、ウイング用裏面フィルム６０ｂの肌対向面の全面に印刷が施されて形成されている。ウイング部絵柄６９は、本体部絵柄３９と同様に、従来この種の生理用ナプキンに用いられてきたインクを、フレキソ、グラビア、インクジェット方式等の公知の方法によりウイング用裏面フィルム６０ｂの肌対向面に印刷して形成されたものである。
【００２７】
上述した本体部絵柄３９とウイング部絵柄６９とは互いに関連性のある絵柄である。ナプキン１の本体部絵柄３９及びウイング部絵柄６９は、図１，図３に示すように、互いに星柄であり、ウイング部絵柄６９の星柄の方が、本体部絵柄３９の星柄よりも大きな星柄である。このように、本体部絵柄３９とウイング部絵柄６９とは、同種の絵柄であり関連性を有し、更に絵柄の大きさを変えることで遠近感を出して互いの関連性を強めている。このように、本体部絵柄３９とウイング部絵柄６９とを関連性のある絵柄にすることにより、着用準備の際に、見た目の印象が向上する。
【００２８】
本体部絵柄３９とウイング部絵柄６９とは互いに関連性のある絵柄である場合には、更に、融着部８の模様も関連していることが好ましく、ナプキン１においては、図１に示すように、融着部８が、三日月状の模様に形成されており、複数個の三日月状の融着部８が、互い違いに、長手方向Ｘに沿って配されている。ナプキン１は、このように、本体部絵柄３９、ウイング部絵柄６９及び融着部８の模様が全て関連していることにより、着用準備の際に、更に見た目の印象を向上することができる。
【００２９】
互いに関連性のある絵柄としては、例えば、図４（ａ）に示すように、本体部絵柄３９に三つ葉のクローバーの絵柄を用い、ウイング部絵柄６９に四つ葉のクローバーの絵柄を用いる場合や、図４（ｂ）に示すように、本体部絵柄３９にバラの枝の絵柄を用い、ウイング部絵柄６９にバラの花の絵柄を用いる場合や、図４（ｃ）に示すように、本体部絵柄３９及びウイング部絵柄６９にバラの花の絵柄を用い、ウイング部絵柄６９のバラの花の方を、本体部絵柄３９のバラの花よりも大きな花柄とする場合等が考えられる。
【００３０】
本発明の吸収性物品（女性用吸収性物品）の備えるウイング用不織布６０ａは、重なり領域Ｔの絵柄９が透過して見える光透過率を有している。着用者が着用の準備の際に、絵柄９がウイング用不織布６０ａを通して、表面シート２側から視認可能なように、ウイング用不織布６０ａの光透過率は、１０〜９５％であることが好ましく、４０〜９０％であることが更に好ましい。ウイング用不織布６０ａの光透過率は、以下の方法により測定する。
【００３１】
〔光透過率の測定法〕
光透過率は、反射・透過率計（（株）日本電色工業株式会社製、商品名「ＳＥ−２０００」）を用いて測定される。測定には、Ｃ/２光源を用い、試料台の径は３０ｍｍφとした。測定モードを透過とし、全光透過率Ｌ*の値を測定した。サンプル上の任意の５点の測定結果から、その平均値をもって光透過率の値とした。
【００３２】
上述したように、ウイング用不織布６０ａ及びウイング用裏面フィルム６０ｂは、図２に示すように、ホットメルト型接着剤６３により固定されているが、ホットメルト型接着剤６３は、重なり領域Ｔの絵柄９がウイング用不織布６０ａを通して見え易いように、重なり領域Ｔに塗工されていることが好ましい。塗工パターンとしては、スパイラルパターン、スロットスプレー、Ω状のコントロールウイーブ等のパターン塗工が好ましく、重なり領域Ｔの絵柄９がウイング用不織布６０ａを通して見え易い観点から、ホットメルト型接着剤６３の塗工坪量は、２〜６０ｇ／ｍ2であることが好ましく、５〜４０ｇ／ｍ2であることが更に好ましい。
【００３３】
ナプキン１は、ウイング部絵柄６９以外に本体部絵柄３９も有しているため、ウイング用裏面フィルム６０ｂも、本体部絵柄３９が透過して見える光透過率を有していることが好ましい。着用者が着用の準備の際に、ウイング部絵柄６９及び本体部絵柄３９がウイング用不織布６０ａ及びウイング用裏面フィルム６０ｂを通して、表面シート２側から視認可能なように、ウイング用裏面フィルム６０ｂの光透過率は、１０〜９５％であることが好ましく、４０〜９０％であることが更に好ましい。ウイング用裏面フィルム６０ｂの光透過率は、上述したウイング用不織布６０ａの光透過率の測定法と同様にして測定する。
【００３４】
上述したように、ウイング用裏面フィルム６０ｂ及び本体用裏面シート３は、図２に示すように、ホットメルト型接着剤６４により固定されているが、ホットメルト型接着剤６４は、重なり領域Ｔの本体部絵柄３９が、ウイング用裏面フィルム６０ｂ及びウイング用不織布６０ａを通して見え易いように、重なり領域Ｔに塗工されていることが好ましい。塗工パターンとしては、ホットメルト型接着剤６３と同様に、スパイラルパターン、スロットスプレー、Ω状のコントロールウイーブ等のパターン塗工が好ましく、重なり領域Ｔの本体部絵柄３９がウイング用裏面フィルム６０ｂ及びウイング用不織布６０ａを通して見え易い観点から、ホットメルト型接着剤６４の塗工坪量は、２〜６０ｇ／ｍ2であることが好ましく、５〜４０ｇ／ｍ2であることが更に好ましい。
【００３５】
通常、生理用ナプキン等の吸収性物品（女性用吸収性物品）に用いられる表面シートは白色の無彩色であるが、重なり領域Ｔの絵柄９の印象を向上させる観点から、ウイング用裏面フィルム６０ｂの色又は本体用裏面シート３の色が有彩色であることが好ましく、ウイング用裏面フィルム６０ｂの色及び本体用裏面シート３の色それぞれが有彩色であることが好ましい。尚、ウイング用裏面フィルム６０ｂ及び本体用裏面シート３の何れか一方を有彩色にする場合には、着用準備の際の見え易さの観点から、ウイング用裏面フィルム６０ｂを有彩色にすることが好ましい。有彩色としては、進出色（暖色系の色）の観点から、Ｌ*値が高い色が好ましく、より好ましくは中間色及び暖色の濃い寒色系ではない有彩色であることが好ましい。Ｌ*値の高い値としては、３０〜９０が好ましく、４０〜８５がより好ましい。
【００３６】
重なり領域Ｔのウイング用裏面フィルム６０ｂと本体用裏面シート３の模様を有彩色とする場合、重なり領域Ｔでのウイング部形成材６０の無造作なカットラインや意味のない重なり部の濃い色あいを目立たなくする為に、ウイング用裏面フィルム６０ｂの絵柄６９の有彩色と本体用裏面シート３の絵柄３９の有彩色を異ならせる場合と同系色に統一する場合の２通りがある。以下に場合を分けて説明する。
ウイング用裏面フィルム６０ｂの色及び本体用裏面シート３の色それぞれが有彩色である場合には、重なり領域Ｔを目立たせにくくする観点から、ウイング用裏面フィルム６０ｂの色と本体用裏面シート３の色とが異なる色であることが更に好ましい。ここで、「異なる色」とは、人が十分に視覚で認識できる色差を有することを意味する。色特性の計算は、ＪＩＳ−Ｚ−８７０１で記載されている通り、各標準光源に対するスペクトル三刺激純値（Ｘは赤、Ｙは緑、Ｚは青の色光）により表され、Ｌ*ａ*ｂ*の座標の計算は、以下の式に基づいて行われる。
Ｌ*＝１１６（Ｙ／Ｙx)1/3−１６
ａ*＝５００[（Ｘ／Ｘx）1/3−（Ｙ／Ｙ）1/3]
ｂ*＝２００[（Ｙ／Ｙx）1/3−（Ｚ／Ｚx）1/3]
色の定量的な差を表す方法として、色差を計算する場合には「Ｌ*ａ*ｂ*表色系」におけるΔＥ*値を用いる。
ΔＥ*＝[(ΔＬ*)2＋(Δａ*)2＋(Δｂ*)2]1/2
(ΔＬ*、Δａ*、Δｂ*は、２色間のＬ*値、ａ*値、ｂ*値の差である。例えばΔＬ*は、ΔＬ*＝Ｌ*2−Ｌ*1により計算される。)
したがって、人が十分に視覚で認識できる色差、即ち、「異なる色」としては、ΔＥ*値が３．０以上であることが好ましく、ΔＥ*が６．０以上であることがさらに好ましい。
「Ｌ*ａ*ｂ*表色系」では、Ｌ*は明るさを、ａ*、ｂ*は色の方向を示しており、ａ*は略赤方向、−ａ*は略緑方向、ｂ*は略黄色方向、−ｂ*は略青方向を示している。これらの値は、日本電色工業株式会社製の簡易型分光色差計ＮＦ３３３（商品名）を用いて得ることができる。
簡易型分光色差計ＮＦ３３３による計測方法においては、ステープラータイプにてφ４ｍｍのＮＤ１１０センサーを取り付けておき、該センサーの先端部にはＯリング（小）を用い、光源Ｃ／２、視野角２°でそれぞれの試料を計測する。
【００３７】
また、ウイング用裏面フィルム６０ｂの色及び本体用裏面シート３の色それぞれが有彩色である場合には、重なり領域Ｔの絵柄９を際立たせる観点から、ウイング用裏面フィルム６０ｂの色と本体用裏面シート３の色とが同色の関係にあることが更に好ましい。同色の関係としては、ウイング用裏面フィルム６０ｂの色が赤色の場合に、本体用裏面シート３の色が彩度を下げたまたは明度を下げた橙色である場合が挙げられる。「Ｌ*ｃ*ｈ表色系」における基準色に対して色相角度ｈの差が±３０°である場合を同色の関係とし、彩度ｃ*や明度Ｌ*が±３以上より好ましくは±５以上離れ、±５０以下、より好ましくは±３０以下である有彩色を組合せる事が好ましい。
【００３８】
ウイング用裏面フィルム６０ｂの色と本体用裏面シート３の色のどちらの彩度ｃ*や明度Ｌ*が高くなっても良いが、色彩面積に関して好ましくは裏面側（非肌対抗面側）に配されるシートの色彩の面積が大きいことが好ましく、裏面側に配されるシートの色彩面積を１とした場合の表面側（肌対抗面側）に配されるシートの色彩面積の割合が３〜６０％、好ましくは５〜５０％、より好ましくは７〜３０％であることが、視認性を高め色の重なりによる減法混合による黒色化を防止する点で好ましい。
【００３９】
同色の関係は、最も影響のでる点から最も多くの面積を有する色彩に関して計測すればよく、他の色彩に関しては、中間色（色相角度ｈの差が±３０°〜±１２０°）では最大の色彩面積を有する色の面積を１としたときに中間色の色彩面積の割合が０〜４０％が好ましく、０〜２０％がより好ましい。寒色（色相角度ｈの差が１２０°〜１８０°）では、最大の色彩面積を有する色の面積を１としたときに寒色の色彩面積の割合が０〜１０％が好ましく、０〜５％がより好ましい。同色以外の他の色彩を組合せる事で、視認性向上による違和感を低減することができる。
徐々に色彩が変化するグラデーションを用いる場合には、色相角度ｈの差が±１０°の範囲を同色として判断する。
【００４０】
上述したナプキン１の形成材料について説明する。
表面シート２、本体用裏面シート３、吸収体４としては、生理用ナプキン等の吸収性物品（女性用吸収性物品）において従来用いられている各種の材料などを特に制限なく用いることができる。
例えば、表面シート２としては、単層又は多層構造の不織布や、開孔フィルム等を用いることができる。本体用裏面シート３としては、液不透過性又は撥水性の樹脂フィルムや樹脂フィルムと不織布の積層体等を用いることができる。吸収体４としては、パルプ繊維等の繊維の集合体（不織布であっても良い）又はこれに吸水性ポリマーの粒子を保持させてなる吸収性コアを、透水性の薄紙や不織布からなるコアラップシートで被覆したものや、各種公知のポリマーシート等を用いることができる。
【００４１】
ウイング部形成材６０に用いるウイング用不織布６０ａとしては、この種の物品に従来用いられている各種の不織布を特に制限なく用いることができ、単層のものでも多層構造のものでも良い。また、ウイング用不織布６０ａは、熱可塑性樹脂からなる合成繊維を含むことが好ましい。
単層のウイング用不織布６０ａとしては、例えば、スパンボンド不織布、エアスルー不織布等が挙げられ、多層のウイング用不織布６０ａとしては、スパンボンド−メルトブロー複合不織布（ＳＭ，ＳＭＳ）や、エアスルー不織布とスパンボンド不織布の複合シート、エアスルー不織布とスパンボンド−メルトブロー複合不織布の複合シート等が挙げられる。
【００４２】
ウイング部形成材６０に用いる液難透過性のウイング用裏面フィルム６０ｂとしては、各種の合成樹脂からなるフィルムを用いることができる。
ウイング用裏面フィルム６０ｂは、厚みが１０〜３０μm、特に１５〜２５μmであることが好ましい。
フィルムを構成する合成樹脂は、熱可塑性樹脂が好ましく、例えば、低密度ポリエチレン、高密度ポリエチレン、Ｌ−ＬＤポリエチレン等の単独または前記ポリエチレンを混合したポリエチレン系フィルム、ポリエチレン系フィルムに炭酸カルシウム等の無機物を混入した透湿性フィルム、ポリエチレン系樹脂とポリビニルアセテート樹脂の混合フィルム、ポリウレタンフィルム等を用いることができ、フィルム加工の容易さ、ヒートシール性の観点から、ポリエチレン系フィルムを用いることが好ましい。
【００４３】
本体用裏面シート３又はウイング用裏面フィルム６０ｂに色が付与されている場合、例えば、色付きの本体用裏面シート３としては、本体用裏面シート３の構成樹脂のペレットと所望の色の着色剤とを混合した原料を溶融し形成したシートや、形成後のシート等に所望の色をフレキソ、グラビア、インクジェット方式等により着色印刷したシートが挙げられる。色付きのウイング用裏面フィルム６０ｂも同様である。
【００４４】
ホットメルト型接着剤６３，６４としては、弾性を有するポリマー成分であるスチレンーブタジエン系やスチレンーイソプレン系のもの、また常温（体温相当）で粘着性がほとんど無い低タック性のホットメルト等が挙げられるが、動きにおける追従性の点から、弾性のある樹脂組成を有することが好ましく、それらの中でも、接合の維持の点から、タック性を有する接着剤が好ましい。
【００４５】
また、本発明の吸収性物品（女性用吸収性物品）においては、本体部５における吸収体４と本体用裏面シート３との間も接着剤によって接合することが好ましい。但し、この接着剤は、スパイラルパターン等のパターン塗工により、ホットメルト型接着剤６３，６４よりも低坪量に塗工することが好ましい。
【００４６】
上述した本発明の吸収性物品（女性用吸収性物品）の実施形態であるナプキン１（以下、「ナプキン１」ともいう。）を使用した際の作用効果について説明する。
ナプキン１は、図１に示すように、長手方向Ｘに延びる両側部に、ウイング部６を形成するウイング部形成材６０のウイング用裏面フィルム６０ｂと本体用裏面シート３の延出部分との重なり領Ｔが形成されており、重なり領域Ｔには印刷による絵柄９が形成されている。また、ナプキン１の備えるウイング部形成材６０のウイング用不織布６０ｂは、絵柄９が透過する光透過率を有している。その為、ナプキン１は、本体部５とは別体のウイング部形成材６０を用いて形成されたウイング部６を備えた吸収性物品（女性用吸収性物品）であるにも拘わらず、着用の準備中に、絵柄９が表面シート２側から認識でき、別体のウイング部形成材６０と本体５との重なり領域Ｔの印象が向上し、着用者に違和感を与え難い。
【００４７】
また、ナプキン１の備える絵柄９は、図１，図３に示すように、本体部絵柄３９とウイング部絵柄６９とからなり、本体部絵柄３９とウイング部絵柄６９とが関連性のある絵柄であることにより、着用準備の際に、見た目の印象が向上する。
【００４８】
本発明は、上述した実施形態に何ら制限されるものではなく、適宜変更可能である。
例えば、上述のナプキン１においては、図２に示すように、ウイング用裏面フィルム６０ｂの内方側部６０ｂ２は、厚み方向において、本体用裏面シート３と表面シート２との間に配されているが、本体用裏面シート３の非肌対向面上に配されていてもよい。また、上述のナプキン１においては、図３に示すように、ウイング用裏面フィルム６０ｂが、ウイング用不織布６０ａの長手方向Ｘの長さよりも短く、排泄対向領域Ａにのみ配されているが、ウイング用不織布６０ａの形状と同形同大であってもよい。
【００４９】
また、ウイング部６は、粘着部（図示せず）を介してショーツのクロッチ部に固定するものに限られず、機械的面ファスナーのオス部材からなる係合部を用いてクロッチ部に固定するものや、粘着部や機械的面ファスナーからなる係合部を介してウイング部同士を連結して固定するもの等であっても良い。また、本発明の吸収性物品（女性用吸収性物品）は、生理用ナプキンの他、パンティライナー（おりものシート）、失禁パッド等であっても良い。
【符号の説明】
【００５０】
１  生理用ナプキン（吸収性物品）
２  表面シート
２１  表面シートの側縁
３  本体用裏面シート
３１  本体用裏面シートの側縁
４  吸収体
４１  吸収体の側縁
５  本体部
６  ウイング部
６０  ウイング部形成材
６１  幅方向外方側部
６２  幅方向内方側部
６０ａ  ウイング用不織布
６０ａ１  幅方向外方側部
６０ａ２  幅方向内方側部
６０ｂ  ウイング用裏面フィルム
６０ｂ１  幅方向外方側部
６０ｂ２  幅方向内方側部
６３，６４  ホットメルト型接着剤
８  融着部
９  絵柄
３９  本体部絵柄
６９  ウイング部絵柄
１０  周縁シール部
１１  防漏溝
Ｔ  重なり領域
Ａ  排泄対向領域
Ｂ  前方領域
Ｃ  後方領域
【図１】
2013063139.tif 000003
【図２】
2013063139.tif 000004
【図３】
2013063139.tif 000005
【図４】
2013063139.tif 000006